(57)【特許請求の範囲】
【請求項１】
複数のスタッドとスタッド支持部からなるスタッドブロックをプレス成形筐体に固着したことを特徴とする外殻筐体。
【請求項２】
前記スタッドブロックは複数のスタッドが一体的に形成されたものであることを特徴とする請求項１に記載の外殻筐体。
【請求項３】
連結形成された複数の前記スタッドブロックを前記筐体に固着したことを特徴とする請求項１または２に記載の外殻筐体。
【発明の詳細な説明】
【０００１】
【発明の属する技術分野】
本発明は外殻筐体に係り、例えば電子機器用筐体としてプレス成形された筐体であって、複数のスタッドが配設された筐体を変形や美観性阻害を回避すると共に好ましい生産性を維持して提供しようとするものである。
【０００２】
【従来の技術】
半導体等の電子機器部材を収納配設している外殻筐体としては熱可塑性樹脂の射出成形された収容体が一般的に使用されているが、電磁シールド性や放熱性などの市場における要求からマグネシウム、アルミニウム等の金属性筐体も一部において使用されている。また半導体等を装備した電子機器は電子部品や演算部等の各部品がユニット化され、個々あるいは複数の部品が組み合わされて筐体内に固定されるが、その固定に当っては筐体内面に配設されたスタッドを介して固定されている。
【０００３】
外殻筐体がダイカストやチクソー等の鋳物の場合は、筐体内面にスタッドを容易に設けることができるが、筐体がプレス成形製の場合は筐体の内面にスタッドを溶接によって1つずつ固定しなくてはならないので煩雑な作業とならざるを得ない。
【０００４】
【発明が解決しようとする課題】
金属板をプレスして成形される筐体は、金属板の厚さを薄くできるので筐体の軽量化に寄与し好ましいが、そうした筐体の内面にスタッドを溶接して固定すると溶接熱の逃げ場が少なくなり筐体の外面が変形し、その美観性を損ねる欠点がある。また溶接条件を厳しく制限し慎重に溶接することとなり、それによって筐体外面に変形が残るようなことは避けられるが、筐体へのスタッド接合に時間を必要とし、生産性の低いこととならざるを得ない。
【０００５】
なお上記したような不利はプレス成形筐体の厚さをそれなりに大とすることによって相当にカバーし得ることとなるが、この場合においては筐体の軽量化が得られないこととなり、その取扱いその他の作業性に劣ることとならざるを得ないし、溶接のための入熱が高くなることから筐体外面などにおける変形の発生する可能性なども依然として残ることとなる。
【０００６】
【課題を解決するための手段】
本発明は上記したような従来技術における課題を解決することについて検討を重ねて創案されたものであって、以下の如くである。
【０００７】
（１）  複数のスタッドとスタッド支持部からなるスタッドブロックをプレス成形筐体に固着したことを特徴とする外殻筐体。
【０００８】
（２）  前記スタッドブロックは複数のスタッドが一体的に形成されたものであることを特徴とする前記（１）に記載の外殻筐体。
【０００９】
（３）  連結形成された複数の前記スタッドブロックを前記筐体に固着したことを特徴とする前記（１）または（２）に記載の外殻筐体。
【００１０】
【作用】
複数のスタッドとスタッド支持部からなるスタッドブロックを用いることによって、図示するようにスタッド８とスタッド支持部９とを各別に準備し、それらのスタッド８とスタッド支持部９とを適宜に組み合わせてそれぞれの場合に即応し適宜に変化したスタッドブロックを的確に形成せしめて、多様なスタッドブロックを得しめ、しかもスタッド支持部により溶接の如きによる筐体内取付けを有効且つ的確に達成して安定した品質の筐体製品を適切に提供せしめる。
【００１１】
スタッドブロックは複数のスタッドが別に準備されたスタッド支持部体に対し溶接し、あるいはダイカストやチクソー等の方法で支持部体と一体化して鋳造し、またスタッドブロックを筐体内面に適切に配設した位置に相当する間隔を備えた状態で、複数のスタッドブロックを連結形成して一体化鋳造し、このようにして一体的に形成されたものであることによって複数のスタッドが均一且つ適切に配設されたスタッドブロックとして提供され、また該スタッドブロックを外殻筐体内において迅速且つ的確な配設をなし、接着その他による取付け状態を能率的で且つ的確に形成せしめ好ましい製品を合理的且つ均一に生産し、提供せしめる。このようなスタッドとスタッド固定部体が一体とされたスタッドブロック部品を筐体内面に固着したものはプレス成形製外殻筐体の外面に変形を生じさせることが少なく、外面が綺麗な状態で製品を得しめる。
【００１２】
即ち、本発明は予め複数のスタッドをスタッド支持部に溶接して一体化し、あるいはダイカストやチクソー等の方法でスタッドとスタッド支持部を一体化したブロック部品を用意しておき、このスタッドブロック部品を筐体の内面に固着したときには筐体外面に変形を生じさせることなくスタッドを筐体に設置し得ることを見出して本発明を完成したものであって、複数のスタッドが配設され、しかも外面が綺麗な電子機器収納用プレス成形製外殻筐体を提供することに成功したものである。
【００１３】
【発明の実施の形態】
本発明によるものの具体的な実施態様を添付図面に示すものについて説明すると、図１は本発明による外殻筐体１を備えた下部電子機器機構２の１例についての断面図であって、電子部品４、演算部５を有し、これらの電子部品４および演算部５が何れもプリント基板６に固定されているが、演算部５は発熱するので熱伝導部材７に固着され、該熱伝導部材７は外殻筐体１に定着されて熱量を放散するように成っている。
【００１４】
上記のように電子部品４や演算部５が固定されているプリント基板６は、スタッド８を介して筐体１に固着された図３に示すようなスタッド固定部９にビス１０で取付けられているが、筐体１の図２に示すような周側に形成された側壁部１ａにおける上縁部１ｂに対しては図１に示すようにキーボード１２を備えたエッジカバー１３が覆着係合されており、該エッジカバー１３の一辺には軸受部状の蓋取付部１１が設けられていて蓋部体を開閉可能に取付けるように成っている。
【００１５】
前記した外殻筐体１には図２に示すように四隅部に前記スタッド支持部９と前記スタッド８とからなるスタッドブロック２７を固定することにより別に図４にも拡大して示すように外殻筐体１内のプリント基板６がスタッド８を介してビス１０で外殻筐体に的確に定置されることは図示の如くである。なお、スタッドブロック２７は外殻筐体１に例えば接着剤１６で固定されている。
【００１６】
図５には本発明による外殻筐体２３を備えた上部電子機器機構２５の断面図が示されているが、この上部電子機器機構２５は液晶ユニット２４などの電子部品が組み込まれていて、上述した図２、図４に示したような下部電子機器機構２の蓋に相当するものであり、２８は液晶ユニット留枠である。また８ａは上記液晶ユニット２４を固定するスタッド、８ｂは液晶ユニット留枠２８を固定するスタッドであり、これらのスタッド８ａ、８ｂとスタッド支持部９からなるスタッドブロック２７におけるスタッド支持部９が外殻筐体１に溶接２６で取付けられている。また液晶ユニット２４はスタッド８ａにビスその他の固定手段で取付けられ、液晶ユニット留枠２８はスタッド８ｂにビス等の固定手段で固定されている。
【００１７】
前述したようなスタッド８、８ａ、８ｂをスタッド支持部９に取付けるには接着、ろう付け、溶接などで、スタッド８等とスタッド支持部９とを一体的としてもよいし、また厚板からの削り出し、ダイカスト、チクソーの如きでスタッド８等とスタッド支持部９を一体的に形成してもよく、何れかの方法でスタッド８ａ、８ｂとスタッド支持部９を一体状となし、スタッドブロック２７とすることができる。
【００１８】
図７には上述の如きスタッドブロック２７を連結形成した斜視図が示され、スタッドブロック２７………２７を連結帯２９で連結してある。この連結スタッドブロック３０を外殻筐体内部の所定位置に溶接等で固定すれば生産性良くスタッド８を設けることが可能である。
【００１９】
図６はスタッドブロック２７のスタッド支持部９を外殻筐体１または２３に電気溶接する一般的な方法を示した結線図であって、１７は外殻筐体１を載置固定する載置台であり、１８は電源、１９はコンデンサー、２０はスイッチで、導線２１でスタッド支持部９と筐体1が図示のように連結されている。また２２はチップでスタッド支持部９の下面にその大きさによって異なるチップ２２が設けられ、例えばスタッド固定部９のサイズが４５×２５mm度の場合は0.５〜３mm度の径で、0.５〜２mm程度の長さをもった凸状に設けられている。
【００２０】
チップ２２を外殻筐体１に押圧してスイッチ２０を接続するとコンデンサー１９に溜まった高電気容量がチップ２２を流れ、チップ２２と該チップ２２に接触している筐体の一部が溶融してスタッド支持部９が外殻筐体１に固着する。
【００２１】
即ち、上記のように複数のスタッドのついているスタッドブロック部品を外部筐体に固定することによって１回の固定で複数のスタッドを生産性高く外部筐体に取付けることができる。
【００２２】
上記したような外殻筐体１、２３は強度と成形性が求められるものであり、ＪＩＳ１０００系のアルミニウム合金では強度が不足する。このような場合の強度と成形性を満足させるには、ＪＩＳ６０００系、例えば、６０６１のアルミニウム合金でもよいが、ＪＩＳ５０００系のアルミニウム合金が優れ、特にMg：4.２〜4.８wt％、Cu：0.１０〜0.３０wt％で、残部がAlおよびＪＩＳ５０００系のアルミニウム合金で規定されている程度の不可避的不純物規定のアルミニウム合金は強度と成形性に優れていて好ましい。
【００２３】
スタッドおよびスタッド支持部の組成については特に限定しないが、製造法から定めればよい。例えば、ダイカストで製造するものとすればＡＤＣ１０またはＡＤＣ１２でもよく、Si0.４〜0.７％、Fe0.８〜1.１％、Ni２〜４％、Mg0.２〜0.４％のAl合金、またはSi：７〜１０％、Fe：0.3〜0.8％、Mg：0.15〜0.4％、Mn：0.2〜0.8％のAl合金を使用すると靭性を付与することができる。展伸材から製造するものとすれば、ＪＩＳ５０００系、６０００系の合金が成形性も良好で適切である。
【００２４】
【発明の効果】
上述したような本発明によるものは、スタッドを予めスタッド固定部に取付けておき、そのようなスタッドブロック部品を筐体内に固着したものであるから、スタッドをスタッド支持部に取付けるときに支持板裏面に傷がついたとしてもこの支持板は筐体内に固着されたものであるから傷が隠れ、外殻筐体外面は美麗なものとなり、また数量の多いスタッドを個々に外殻筐体に対し入念且つ厳しい条件下で溶接することなく、スタッドブロック部品を外殻筐体に固定するものであるからスタッド単体の場合よりも固定面積を大きく採ることができ、またスタッドを外殻筐体に各個に固定することなく複数のスタッドを一体的形成して固着したものであるから固定強度の高い外殻筐体が得られるなどの効果を有しており、工業的にその効果の大きい発明である。
【図面の簡単な説明】
【図１】本発明による外殻筐体を備えた電子機器装置の１例についての断面図である。
【図２】図１に示したような外殻筐体内におけるプリント基板やスタッド支持部の配設状態を示した平面図である。
【図３】スタッド支持部についての斜面図である。
【図４】筐体内におけるプリント基板およびスタッド支持部の取付状態を示した部分的断面図である。
【図５】本発明における外殻筐体を備えた上部電子機器部分の断面図である。
【図６】筐体内におけるスタッド支持部の取付け関係と通電構成関係を示した部分的説明図である。
【図７】上記したスタッドブロックを連結形成したものの斜面図である。
【符号の説明】
１  外殻筐体
１ａ  側壁部
１ｂ  その上縁部
２  下部電子機器機構
４  電子部品
５  演算部
６  プリント基板
７  熱伝導部材
８  スタッド
８ａ  液晶ユニット固定スタッド
８ｂ  留枠固定スタッド
９  スタッド支持部
１０  ビス
１１  蓋取付部
１２  キーボード
１３  エッジカバー
１４  ビス挿入穴
１５  溶接部
１６  接着剤
１７  載置台
１８  電源
１９  コンデンサー
２０  スイッチ
２１  導線
２２  チップ
２３  外殻筐体
２４  液晶ユニット
２５  上部電子機器機構
２６  溶接部
２７  スタッドブロック
２８  液晶ユニット留枠
２９  連結帯
３０  連結スタッドブロック
【図１】
0003876690.tif 000002
【図２】
0003876690.tif 000003
【図３】
0003876690.tif 000004
【図４】
0003876690.tif 000005
【図５】
0003876690.tif 000006
【図６】
0003876690.tif 000007
【図７】
0003876690.tif 000008